(57)【要約】【課題】カードの有効期限を更新することができるカード有効期限更新サーバを提供する。【解決手段】カード有効期限更新サーバと、該カード有効期限更新サーバに接続されたリーダライタと、カードの有効期限を記憶する記録媒体が設けられたカードとからなるカード有効期限更新システムにおけるカード有効期限更新サーバであって、カードの有効期限を更新する対象となるカードの更新後の有効期限をリーダライタを介して記録媒体に記録する有効期限更新部を有する。【選択図】  図１
2004192534.tif 000002
【特許請求の範囲】
【請求項１】
カード有効期限更新サーバと、該カード有効期限更新サーバに接続されたリーダライタと、カードの有効期限を記憶する記録媒体が設けられたカードとからなるカード有効期限更新システムにおけるカード有効期限更新サーバであって、
前記カードの有効期限を更新する対象となるカードの更新後の有効期限を前記リーダライタを介して前記記録媒体に記録する有効期限更新部
を有することを特徴とするカード有効期限更新サーバ。
【請求項２】
前記カードリーダライタに挿入されるカードが前記カードの有効期限が更新対象であるか否かを検出する更新対象検出部と、
前記カードの更新後の有効期限を算出する更新後有効期限算出部とを有し、
前記有効期限更新部は、前記更新対象検出部によって更新対象であることが検出された場合に、前記更新後有効期限算出部によって算出される更新後の有効期限に基づいて、前記リーダライタを介して前記記録媒体に更新後の有効期限を記録する
ことを特徴とする請求項１に記載のカード有効期限更新サーバ。
【請求項３】
カード有効期限更新サーバと、該カード有効期限更新サーバに接続されたリーダライタと、カードの有効期限に関する情報を記憶する記録媒体が設けられたカードとからなり、該カードの有効期限が更新可能なカード有効期限更新システムにおけるカードであって、
前記リーダライタを介し、カード有効期限更新サーバからの指示に基づいて、前記記録媒体に記憶されるカードの有効期限に関する情報を更新して記憶することを特徴とするカード。
【請求項４】
カード有効期限更新サーバと、該カード有効期限更新サーバに接続されたリーダライタと、前記カードの有効期限を記憶する記録媒体が設けられたカードとからなるカード有効期限更新システムにおけるカード有効期限方法であって、
前記カードの有効期限を更新する対象となるカードの更新後の有効期限を前記リーダライタを介して前記記録媒体に記録する
ことを特徴とするカード有効期限更新方法。
【請求項５】
カード有効期限更新サーバと、該カード有効期限更新サーバに接続されたリーダライタと、前記カードの有効期限を記憶する記録媒体が設けられたカードとからなるカード有効期限更新システムにおけるカード有効期限プログラムであって、
前記カードの有効期限を更新する対象となるカードの更新後の有効期限を前記リーダライタを介して前記記録媒体に記録するステップ
をコンピュータに実行させることを特徴とするカード有効期限更新プログラム。
【発明の詳細な説明】
【０００１】
【発明の属する技術分野】
この発明は、カードの有効期限を更新するカード有効期限更新サーバ、カード、カード有効期限更新方法、カード有効期限更新プログラムに関するものである。
【０００２】
【従来の技術】
従来、クレジットカードには、発行されてから３〜５年程度の有効期限があり、その有効期限内であれば、クレジットカードを利用し、様々なサービスを受けることができる。
また、クレジットカードの券面は、カード発行会社毎に様々なデザインのものが印刷されており、カード利用者にとっては、カード利用により受けられるサービスの内容が重要であるとともに、カードのデザインについても、自身の好みのデザインのものを使用したいという要望がある。
【０００３】
ところで、従来技術においては、定期券の有効期間の管理を行うシステムがある（例えば、特許文献１参照）。
【０００４】
【特許文献１】
特開平０９−８１８１２号公報
【０００５】
【発明が解決しようとする課題】
しかしながら、上述した従来技術において、クレジットカードの有効期限がきた場合には、新規のカードを発行しなければならなかった。カード発行者にとっては、新規のカードを発行するための材料コスト、作業コストが発生していた。
一方、カード会員にとっては、長期間使用して愛着や思い入れがあるカードであっても、全く別のカードに強制的に切り替えられてしまっていた。また、新規に発行してもらう際に、同じデザインのものがない場合、カード利用者にとって、自分の好みのデザインを選択できないという問題がある。
また、カードを新規に発行することにより、有効期限が切れたカードを破棄することにより、環境面においても、新たに廃棄物が発生する要因となっていた。
【０００６】
本発明は、このような事情に鑑みてなされたもので、その目的は、カードの有効期限を更新することができるカード有効期限更新サーバ、カード、カード有効期限更新方法、カード有効期限更新プログラムを提供することにある。
【０００７】
【課題を解決するための手段】
上記目的を達成するために、本発明は、カード有効期限更新サーバと、該カード有効期限更新サーバに接続されたリーダライタと、カードの有効期限を記憶する記録媒体が設けられたカードとからなるカード有効期限更新システムにおけるカード有効期限更新サーバであって、前記カードの有効期限を更新する対象となるカードの更新後の有効期限を前記リーダライタを介して前記記録媒体に記録する有効期限更新部を有することを特徴とする。
【０００８】
また、本発明は、上述のカード有効期限更新サーバにおいて、前記カードリーダライタに挿入されるカードが前記カードの有効期限が更新対象であるか否かを検出する更新対象検出部と、前記カードの更新後の有効期限を算出する更新後有効期限算出部とを有し、前記有効期限更新部は、前記更新対象検出部によって更新対象であることが検出された場合に、前記更新後有効期限算出部によって算出される更新後の有効期限に基づいて、前記リーダライタを介して前記記録媒体に更新後の有効期限を記録することを特徴とする。
【０００９】
また、本発明は、カード有効期限更新サーバと、該カード有効期限更新サーバに接続されたリーダライタと、カードの有効期限に関する情報を記憶する記録媒体が設けられたカードとからなり、該カードの有効期限が更新可能なカード有効期限更新システムにおけるカードであって、前記リーダライタを介し、カード有効期限更新サーバからの指示に基づいて、前記記録媒体に記憶されるカードの有効期限に関する情報を更新して記憶することを特徴とする。
【００１０】
また、本発明は、カード有効期限更新サーバと、該カード有効期限更新サーバに接続されたリーダライタと、前記カードの有効期限を記憶する記録媒体が設けられたカードとからなるカード有効期限更新システムにおけるカード有効期限方法であって、前記カードの有効期限を更新する対象となるカードの更新後の有効期限を前記リーダライタを介して前記記録媒体に記録することを特徴とする。
【００１１】
また、本発明は、カード有効期限更新サーバと、該カード有効期限更新サーバに接続されたリーダライタと、前記カードの有効期限を記憶する記録媒体が設けられたカードとからなるカード有効期限更新システムにおけるカード有効期限プログラムであって、前記カードの有効期限を更新する対象となるカードの更新後の有効期限を前記リーダライタを介して前記記録媒体に記録するステップをコンピュータに実行させることを特徴とする。
【００１２】
【発明の実施の形態】
以下、本発明の一実施形態によるカード有効期限更新サーバ、カードを図面を参照して説明する。
図１は、この発明の一実施形態によるカード有効期限更新サーバ、カードを適用したカード有効期限更新システムの構成を示す概略ブロック図である。
この図において、カード有効期限更新システムは、カード有効期限更新サーバ１と、カード有効期限更新サーバ１に接続された端末２と、カードの一例としてのＩＣカード３とから構成される。
【００１３】
カード有効期限更新サーバ１において、カード会員データベース１１は、ＩＣカード３を識別するためのカードＩＤと、ＩＣカード３の有効期限に関する情報である有効期限情報と、ＩＣカード３の所有者に関する情報である会員情報とを対応付けて記憶する。ここでいう有効期限情報とは、ＩＣカード３が利用可能な期限を示す情報であり、例えば、「２０××年△月○日」などの年月日を示す情報である。また、会員情報は、例えば、カードの所有し利用する利用者の住所、氏名、年齢、連絡先、カードを利用する際の暗証番号等の情報が含まれる。
【００１４】
更新後有効期限算出部１２は、内部に設けられたクロックに基づいて現在の年月日を日付情報として管理しているとともに、カード会員データベース１１に記憶されたカードの有効期限と日付情報とを比較し、ＩＣカード３の有効期限が更新すべき有効期限に該当するか否かを検出し、更新すべき有効期間内である場合に、ＩＣカード３の更新後の有効期限（以下、「更新後有効期限」と称す）を算出し、算出した更新後有効期限と有効期限情報とカードＩＤとに対応付けて更新対象カードデータベース１３に記憶する。この更新後有効期限は、現在の有効期限に所定の期間（例えば、３年、５年など）を加えた期限のことである。
ここで、更新すべき有効期限とは、日付情報と有効期限との期間が予め設定された期間内にある有効期限のことであり、例えば、予め設定された期間（以下、「更新期間」と称す）が「２ヶ月」、日付情報が２０××年１２月１日である場合、有効期限が２０××年１０月１日から２０××年１２月１日までのＩＣカード３が更新すべき有効期限として検出される。ここで、更新期間は、期間が決定可能であれば、月単位でなくてもよく、日数や週単位で設定されるようにしてもよい。
【００１５】
更新対象カードデータベース１３は、更新対象となるＩＣカード３に関する情報として、更新後有効期限算出部１２からの指示に基づいて、更新後有効期限と有効期限情報とカードＩＤとを対応付けて記憶する。これにより、更新する必要があるＩＣカード３のカードＩＤと、有効期限情報と、更新した場合の有効期限となる更新後有効期限とが把握可能である。
【００１６】
更新対象検出部１４は、リーダライタ２１に挿入されたＩＣカード３のカードＩＤに一致するカードＩＤが更新対象カードデータベース１３に記憶されているか否かを検出することにより、ＩＣカード３の有効期限が更新対象であるか否かを検出する。
【００１７】
有効期限更新部１５は、ＩＣカード３において、ＩＣカード３の有効期限を更新後有効期限に書き換える処理を実行させるための更新スクリプトを生成する更新スクリプト生成部１６を有する。
また、有効期限更新部１５は、更新対象検出部１４によって更新対象となるＩＣカード３が検出された場合に、更新後有効期限算出部１２によって算出され更新対象カードデータベース１３に記憶された更新後有効期限に基づいて、リーダライタ２１を介してＩＣカード３に設けられた有効期限記憶部３３に更新後有効期限を記録する。この更新後有効期限の記録は、更新スクリプト生成部１６によって生成された更新スクリプトをリーダライタ２１を介してＩＣカード３に送信することにより行われる。
【００１８】
有効期限確認制御部１７は、更新スクリプトが実行され、有効期限が更新された後の有効期限をリーダライタ２１を介してＩＣカード３の有効期限記憶部３３から読み出し、読み出した有効期限と更新対象カードデータベース１３に記憶された更新後有効期限とを比較し、一致している場合にカード会員データベース１１に記憶された有効期限を更新して更新対象カードデータベース１３から該ＩＣカード３のカードに関する情報を削除する。
また、有効期限確認制御部１７は、ＩＣカード３から読み出した有効期限と更新対象カードデータベース１３に記憶された更新後有効期限とを比較し、一致していない場合に、有効期限更新部１５によって再度有効期限を更新する処理を行わせる。
【００１９】
端末２は、インターネットや専用回線などのネットワークを介してカード有効期限更新サーバ１に接続されており、リーダライタ２１を有する。この端末２は、カードの利用者が個人で所有するコンピュータにリーダライタを接続することにより構成してもよく、また、クレジットカードを利用可能な店舗に設置してもよい。
リーダライタ２１は、ＩＣカード３と通信を行い、ＩＣカード３と情報の送受信を行う。このリーダライタ２１は、端末２の外部に接続されるようにしてもよい。
【００２０】
ＩＣカード３は、例えばクレジットカードであり、通信部３１と、更新スクリプト実行部３２と、有効期限記憶部３３とによって構成され、会員情報を記憶している。
通信部３１は、リーダライタ２１と通信を行い、各種情報の送受信をする。
有効期限記憶部３３は、ＩＣカード３に設定される有効期限を記憶する。
更新スクリプト実行部３２は、更新スクリプト生成部１６によって生成され、有効期限更新部１５から送信される更新スクリプトを実行し、有効期限記憶部３３に記憶された有効期限情報を更新して記憶させる。
【００２１】
次に、図１の構成におけるカード有効期限更新システムの動作について図２のフローチャートを用いて説明する。ここでは、日付情報が２０××年１２月１日であり、更新期間が２ヶ月である場合について説明する。
まず、更新後有効期限算出部１２は、日付情報「２０××年１２月１日」を取得し（ステップＳ１）、更新対象となる有効期限「２０××年１０月１日から２０××年１２月１日」を算出する（ステップＳ２）。
【００２２】
次に、更新後有効期限算出部１２は、更新対象となる有効期限とカード会員データベース１１に記憶された有効期限を比較し、各ＩＣカード３の有効期限が更新対象であるか否かを検出する。更新対象となる有効期限ではない場合、更新後有効期限算出部１２は、カード会員データベース１１に記憶された次のＩＣカード３の有効期限について更新期間内であるか否かを順次検出する。
一方、ＩＣカード３の有効期限が例えば、「２０××年１１月１日」であって、更新期間内であることが検出されると、更新後有効期限算出部１２は、更新後の有効期限を「２０×△年１１月１日」算出し、更新対象のＩＣカード３のカードＩＤと有効期限情報とをカード会員データベース１１から読み出し（ステップＳ４）、読み出したカードＩＤ、有効期限情報とを算出した更新後有効期限に対応付けて更新対象カードデータベース１３に記憶する（ステップＳ４）。
このステップＳ１からステップＳ４の処理は、所定の期間毎に行われる。
【００２３】
一方、カード会員によって、自身のＩＣカード３がリーダライタ２１に挿入され（ステップＳ５１）、端末２によって、カード有効期限更新サーバ１が開設している有効期限更新サイトにアクセスされると（ステップＳ５２）、ＩＣカード３からリーダライタ２１を介してＩＣカード認証情報となる会員情報が送信される（ステップＳ５３）。
【００２４】
会員情報が送信されると、カード有効期限更新サーバ１の更新対象検出部１４は、会員情報と会員データベース１１に記憶された会員情報とに基づいて認証を行った後（ステップＳ５）、リーダライタ２１を介してＩＣカード３からカードＩＤを読み出す（ステップＳ６）。次いで、更新対象検出部１４は、読み出したカードＩＤに一致するカードＩＤが更新対象カードデータベース１３に記憶されているか否かを検出し、ＩＣカード３の有効期限が更新対象であるか否かを検出する（ステップＳ７）。更新対象ではない場合、更新対象検出部１４は、更新対象でないことを通知するメッセージを端末２に送信し、処理を終了する（ステップＳ８）。
【００２５】
一方、更新対象であることが検出されると、有効期限更新部１５は、カードＩＤに対応付けられて記憶された更新後有効期限を更新対象カードデータベース１３から読み出し（ステップＳ９）、読み出した更新後有効期限に有効期限を更新させるための更新スクリプトを更新スクリプト生成部１６によって生成し、生成した更新スクリプトをリーダライタ２１を介してＩＣカード３に送信する（ステップＳ１０）。
【００２６】
ＩＣカード３は、通信部３１によって更新スクリプトを受信し（ステップＳ５４）、受信した更新スクリプトを、更新スクリプト実行部３２によって実行し（ステップＳ５５）、有効期限記憶部３３に記憶されている更新期限を更新後有効期限に更新する（ステップＳ５６）。そして、ＩＣカード３は、有効期限が更新された後、有効期限記憶部３３から有効期限を読み出して、カードＩＤとともにリーダライタ２１を介しカード有効期限更新サーバ１の有効期限確認制御部１７に送信する（ステップＳ５７）。
【００２７】
有効期限確認制御部１７は、ＩＣカード３から有効期限とカードＩＤとを受信すると、受信したカードＩＤに対応する更新後有効期限を更新対象カードデータベース１３から読み出し、読み出した更新後有効期限と受信した有効期限とを比較し（ステップＳ１１）、一致しているか否かを検出する（ステップＳ１２）。更新後有効期限と有効期限とが一致している場合、有効期限確認制御部１７は、カードＩＤに基づいて、カード会員データベース１１に記憶された有効期限を検索して更新し（ステップＳ１３）、カードＩＤに対応するカードに関する情報を更新対象カードデータベース１３から削除する（ステップＳ１４）。
一方、更新後有効期限と有効期限とが一致していない場合、有効期限確認制御部１７は、有効期限更新部１５にリトライを指示する（ステップＳ１５）。このリトライの指示に基づき、ステップＳ１０からの処理が行われる。
【００２８】
なお、以上説明した実施形態のステップＳ１３において、有効期限確認制御部１７は、更新後有効期限と有効期限とが一致している場合、更新対象カードデータベース１３からカードに関する情報を削除する場合について説明したが、更新済みフラグを「０」から「１」に設定するようにしてもよい。
【００２９】
また、以上説明した実施形態によれば、ＩＣカードの更新後の有効期限をサーバ側が算出（更新後有効期限算出部１２が算出）しておくようにしたので、更新後された後の有効期限までを示す所定の期間をカード発行会社が任意に設定することが可能となり、カード発行会社の有効期限の管理を簡単に行うことができる。
【００３０】
また、上述した実施形態において、更新後有効期限とＩＣカード３に記憶された更新された後の有効期限確認とを比較するようにしたので、有効期限を更新した場合においても、ＩＣカード３に記憶された有効期限とカード有効期限更新サーバ１が管理する有効期限とを確実に一致させておくことが可能となる。
【００３１】
また、上述した実施形態によれば、カードの有効期限を更新し、引き続き使用することができるので、カードが多機能カードとして使用されている場合であっても、カード会員が独自に載せた発行会社以外のサービス更新の手間を省くことができる。
【００３２】
また、上述した実施形態において、カードがＩＣカード３である場合について説明したが、有効期限更新部１５からの指示に応じて有効期限を更新可能なカードであれば、カードとして磁気カードを適用するようにしてもよい。
【００３３】
また、上述した実施形態において、カードは、クレジットカードである場合について説明したが、有効期限が設定されているカードであれば、クレジットカード以外に、社員証やレンタルビデオの会員証などに適用するようにしてもよい。
【００３４】
また、図１における更新後有効期限算出部１２、更新対象検出部１４、有効期限更新部１５、更新スクリプト生成部１６、有効期限確認制御部１７の機能を実現するためのプログラムをコンピュータ読み取り可能な記録媒体に記録して、この記録媒体に記録されたプログラムをコンピュータシステムに読み込ませ、実行することにより有効期限更新管理を行ってもよい。
また、図１における更新スクリプト実行部３２の機能を実現するためのプログラムをＩＣカード３に記録しておき、この記録されたプログラムをＩＣカード３に実行させることにより、ＩＣカード３の有効期限を更新するようにしてもよい。
なお、ここでいう「コンピュータシステム」とは、ＯＳや周辺機器等のハードウェアを含むものとする。
【００３５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３６】
以上、この発明の実施形態を図面を参照して詳述してきたが、具体的な構成はこの実施形態に限られるものではなく、この発明の要旨を逸脱しない範囲の設計等も含まれる。
【００３７】
【発明の効果】
以上説明したように、この発明によれば、カードの有効期限を更新する対象となるカードの更新後の有効期限をリーダライタを介して前記記録媒体に記録するようにしたので、カードの有効期限を更新することができ、これにより、カード発行会社にとっては、新規にカードを発行する必要が無くなり、材料コスト、作業コストを削減することができ、カード会員にとっては、愛着や思い入れのあるカードを引き続き使用することができ、また、デザインについても変更されることなく使用でき、また、有効期限が切れたカードを廃棄する必要がないことから、廃棄物を削減することができる。
また、カードを新規に発行する必要がないので、カードに蓄積されたポイントや電子マネーのデータを、データ移行などの仕組みを設けることなく、また、データ移行に係る手間を省き、引き続き使用することが可能となる。
【００３８】
また、本発明によれば、カードの更新後の有効期限を算出し、カードリーダライタに挿入されたカードの有効期限が更新対象であるか否かを検出し、更新が必要であるカードについて、有効期限を更新するようにしたので、有効期限が切れそうになったカードのみを更新対象として、新たな更新期限を設定できる。
【図面の簡単な説明】
【図１】この発明の一実施形態によるカード有効期限更新システムの構成を示す概略ブロック図である。
【図２】図１の構成におけるカード有効期限更新システムの動作について説明するためのフローチャートである。
【符号の説明】
１  カード有効期限更新サーバ          ２  端末
３  ＩＣカード                        １１  カード会員データベース
１２  更新後有効期限算出部            １３  更新対象カードデータベース
１４  更新対象検出部                  １５  有効期限更新部
１６  更新スクリプト生成部            １７  有効期限確認制御部
２１  リーダライタ                    ３１  通信部
３２  更新スクリプト実行部            ３３  有効期限記憶部
【図１】
2004192534.tif 000003
【図２】
2004192534.tif 000004